(57)【要約】【課題】より自由に交換式のフィルタを使用する。【解決手段】撮像素子と、上記撮像素子の被写体側に固設される第１の光学フィルタとレンズマウント部との間に設けられる環状または筒状の部材であり、第２の光学フィルタを保持するフィルタ保持部材の外周に形成される第１の凹凸部に対応する形状を有し該フィルタ保持部材を着脱可能に係合する第２の凹凸部が内周方向に形成される係合部材と、を含む撮像装置が提供される。【選択図】図９
2013029586.tif 000002
【特許請求の範囲】
【請求項１】
撮像素子と、
前記撮像素子の被写体側に固設される第１の光学フィルタとレンズマウント部との間に設けられる環状または筒状の部材であり、第２の光学フィルタを保持するフィルタ保持部材の外周に形成される第１の凹凸部に対応する形状を有し該フィルタ保持部材を着脱可能に係合する第２の凹凸部が内周方向に形成される係合部材と、
を備える撮像装置。
【請求項２】
前記係合部材は、前記第２の凹凸部として、前記第１の凹凸部である凸部が嵌合する凹条部を有する、請求項１に記載の撮像装置。
【請求項３】
前記係合部材は、前記凹条部の前記レンズマウント部側の側面に形成されて前記凸部を前記凹条部に案内する切り欠き部を有する、請求項２に記載の撮像装置。
【請求項４】
前記係合部材は、前記凹条部の内部に設けられて前記凸部の光軸回りの回転を規制する制止部を有する、請求項３に記載の撮像装置。
【請求項５】
前記切り欠き部は、複数形成される、請求項３に記載の撮像装置。
【請求項６】
前記係合部材は、前記凹条部の底面および前記撮像素子側の側面を形成する第１の係合部材と、前記凹条部の前記レンズマウント部側の側面を形成する第２の係合部材とを含む、請求項２に記載の撮像装置。
【請求項７】
前記係合部材は、前記凹条部の底面および両側面を形成する第１の係合部材を含む、請求項２に記載の撮像装置。
【請求項８】
光学フィルタを保持するフィルタ保持部と、
前記フィルタ保持部に結合され、外周に形成される第１の凹凸部が撮像装置の撮像素子の被写体側に固設される第１の光学フィルタとレンズマウント部との間に設けられる環状または筒状の係合部材の内周方向に形成された第２の凹凸部に対応する形状を有し、該第２の凹凸部に着脱可能に係合される係合部と、
を備えるフィルタ保持部材。
【請求項９】
前記係合部は、前記第１の凹凸部として、前記第２の凹凸部である凹条部に嵌合する凸部を有する、請求項８に記載のフィルタ保持部材。
【請求項１０】
前記凸部は、前記凹条部の前記レンズマウント部側の側面に形成された切り欠き部によって前記凹条部に案内される、請求項９に記載のフィルタ保持部材。
【請求項１１】
前記凸部は、前記凹条部の内部に設けられて前記凸部の光軸回りの回転を規制する制止部に掛合する掛合部を有する、請求項１０に記載のフィルタ保持部材。
【請求項１２】
前記凸部は、複数形成される、請求項１０に記載のフィルタ保持部材。
【請求項１３】
撮像装置の撮像素子の被写体側に固設される第１の光学フィルタとレンズマウント部との間に、第２の光学フィルタを保持するフィルタ保持部材を前記第２の光学フィルタが前記撮像素子に対向した状態で前記レンズマウント部側から光軸方向に挿入し、
前記第１の光学フィルタと前記レンズマウント部との間に設けられる環状または筒状の係合部材の内周方向に形成される第１の凹凸部に前記フィルタ保持部材の外周に設けられる第２の凹凸部を着脱可能に係合させる
撮像装置のフィルタ取付方法。
【発明の詳細な説明】
【技術分野】
【０００１】
本開示は、撮像装置、フィルタ保持部材および撮像装置のフィルタ取付方法に関する。
【背景技術】
【０００２】
例えばムービーカメラなどの撮像装置では、ＮＤ（Neutral  Density）フィルタやＣＣ（Color  Compensating）フィルタ、クロスフィルタといった交換式のフィルタが使用される場合がある。かかる交換式のフィルタは、撮影の条件や所望する映像などによって必要に応じて使用される。
【０００３】
このような交換式のフィルタを撮像装置に取り付ける方法としては、例えば、レンズの前方、つまり被写体側に着脱可能に取り付ける方法がある。この方法をとる場合、例えば、レンズの前方に、フィルタが装着されたマットボックスが取り付けられる。また、撮像装置の内部の撮像素子の前方に交換式のフィルタを切り替える機構、例えばフィルタターレットなどを設置する方法もある。かかる機構を改良し、装置の小型化と操作感の向上を実現する技術が、特許文献１に開示されている。
【先行技術文献】
【特許文献】
【０００４】
【特許文献１】特開２００８−２５９１１８号公報
【発明の概要】
【発明が解決しようとする課題】
【０００５】
しかしながら、レンズの前方に交換式のフィルタを取り付ける場合、その部分では鏡筒の内径が大きいためにフィルタのサイズも大きくなってしまう。また、例えば撮像装置を２台用いて三次元映像を撮影する場合など、マットボックスの取り付けが制約される場合もあり、そのような場合には交換式のフィルタを使用することが難しかった。
【０００６】
また、撮像装置の内部に交換式のフィルタを切り替える機構を設置する場合、特許文献１の技術をもってしても撮像装置の小型化には限界がある。また、交換式のフィルタとして使用可能なものが予め機構に取り付けられたフィルタに限られ、ユーザが自由にフィルタを選択することが難しかった。
【０００７】
そこで、本開示では、より自由に交換式のフィルタを使用することが可能な、新規かつ改良された撮像装置、フィルタ保持部材および撮像装置のフィルタ取り付け方法を提案する。
【課題を解決するための手段】
【０００８】
本開示によれば、撮像素子と、上記撮像素子の被写体側に固設される第１の光学フィルタとレンズマウント部との間に設けられる環状または筒状の部材であり、第２の光学フィルタを保持するフィルタ保持部材の外周に形成される第１の凹凸部に対応する形状を有し該フィルタ保持部材を着脱可能に係合する第２の凹凸部が内周方向に形成される係合部材と、を含む撮像装置が提供される。
【０００９】
また、本開示によれば、光学フィルタを保持するフィルタ保持部と、上記フィルタ保持部に結合され、外周に形成される第１の凹凸部が撮像装置の撮像素子の被写体側に固設される第１の光学フィルタとレンズマウント部との間に設けられる環状または筒状の係合部材の内周方向に形成された第２の凹凸部に対応する形状を有し、該第２の凹凸部に着脱可能に係合される係合部と、を含むフィルタ保持部材が提供される。
【００１０】
さらに、本開示によれば、撮像装置の撮像素子の被写体側に固設される第１の光学フィルタとレンズマウント部との間に、第２の光学フィルタを保持するフィルタ保持部材を上記第２の光学フィルタが上記撮像素子に対向した状態で上記レンズマウント部側から光軸方向に挿入し、上記第１の光学フィルタと上記レンズマウント部との間に設けられる環状または筒状の係合部材の内周方向に形成される第１の凹凸部に上記フィルタ保持部材の外周に設けられる第２の凹凸部を着脱可能に係合させる撮像装置のフィルタ取付方法が提供される。
【００１１】
本開示によれば、交換式のフィルタ（第２の光学フィルタ）は、撮像素子とレンズマウント部との間の係合部材に、係合部材の内周方向に形成された凹凸部とのフィルタ保持部材との係合構造によって簡単に取り付けられる。また、本開示によれば、交換式のフィルタを保持するフィルタ保持部材は、撮像装置のレンズマウント部側、つまり外部から挿入することによって取り付けられる。従って、フィルタ保持部材に保持させるフィルタを自由に交換することができる。
【発明の効果】
【００１２】
以上説明したように本開示によれば、より自由に交換式のフィルタを使用することができる。
【図面の簡単な説明】
【００１３】
【図１】本開示の一実施形態に係る撮像装置の全体構成を示す図である。
【図２】本開示の一実施形態に係る撮像装置のレンズマウント部付近の構成を示す図である。
【図３】図２に示す撮像装置のレンズマウント部付近のＩ−Ｉ線断面図である。
【図４】本開示の一実施形態に係るフィルタ保持部材の構成を示す図である。
【図５】本開示の一実施形態に係るフィルタ保持部材と治具との結合を示す図である。
【図６】本開示の一実施形態における撮像装置へのフィルタの取り付けの挿入段階について説明するための図である。
【図７】本開示の一実施形態における撮像装置へのフィルタの取り付けの回転段階について説明するための図である。
【図８】本開示の一実施形態に係る撮像装置にフィルタ保持部材が取り付けられた場合のレンズマウント部付近の構成を示す図である。
【図９】図８に示す撮像装置にフィルタ保持部材が取り付けられた場合のレンズマウント部付近のＩＩ−ＩＩ線断面図である。
【発明を実施するための形態】
【００１４】
以下に添付図面を参照しながら、本開示の好適な実施の形態について詳細に説明する。なお、本明細書および図面において、実質的に同一の機能構成を有する構成要素については、同一の符号を付することにより重複説明を省略する。
【００１５】
なお、説明は以下の順序で行うものとする。
１．撮像装置の概要
２．フィルタ保持部材の概要
３．フィルタ取付方法の詳細
４．補足
【００１６】
以下の説明では、まず、本開示の一実施形態に係る撮像装置とフィルタ保持部材とのそれぞれについて、概略的な構成を説明する。続いて、撮像装置にフィルタ保持部材を用いて交換式のフィルタを取り付ける方法の詳細を説明するとともに、撮像装置とフィルタ保持部材とのそれぞれの構成についてもさらに詳細に説明する。
【００１７】
（１．撮像装置の概要）
まず、図１〜図３を参照して、本開示の一実施形態に係る撮像装置の概略的な構成について説明する。
【００１８】
（撮像装置の全体構成）
図１は、本開示の一実施形態に係る撮像装置の全体構成を示す図である。本開示の一実施形態に係る撮像装置１０は、被写体を撮像して、撮像によって得られた動画または静止画をデジタル方式の画像データとして記録媒体に記録する装置である。撮像装置１０は、図示されている例ではムービーカメラとして実現されているが、動画または静止画を撮像する任意の装置として実現することが可能である。
【００１９】
図１に示すように、撮像装置１０は、筐体１１と、筐体１１の前方、つまり被写体側に設けられるレンズマウント部１３とを有する。レンズマウント部１３には、任意のレンズユニットが装着される。撮像装置１０は、レンズマウント部１３にレンズユニットを装着した状態で撮像を実行する。レンズユニットのレンズを通して入射する被写体像は、レンズユニットの鏡筒からレンズマウント部１３を通過し、筐体１１の内部にある撮像素子に導光される。撮像素子は、被写体像を光電変換し、撮像画像を表す画像信号を出力する。
【００２０】
なお、レンズマウント部１３に装着されるレンズユニットの構成、および筐体１１に内蔵されて撮像素子から出力された画像信号を処理する画像処理回路などの回路構成については、公知の撮像装置に用いられうる種々の構成をとることが可能であるため、ここでは詳細な説明を省略する。
【００２１】
（レンズマウント部と撮像素子の間の構成）
図２は、本開示の一実施形態に係る撮像装置のレンズマウント部付近の構成を示す図である。図３は、図２に示す撮像装置のレンズマウント部付近のＩ−Ｉ線断面図である。図２および図３に示すように、撮像装置１０の筐体１１の前方に設けられるレンズマウント部１３と、筐体１１の内部に設けられる撮像素子２５との間には、基材１５、押さえ部材１７、固定フィルタ枠１９、バンドパスフィルタ２１、およびローパスフィルタ２３が設けられる。なお、Ｐは光軸である。
【００２２】
なお、以下の説明では、レンズマウント部１３と撮像素子２５との間に設けられる各部材の説明にあたり、レンズマウント部１３側、つまり被写体側を前方、撮像素子２５側を後方として説明する。
【００２３】
レンズマウント部１３は、上述のようにレンズユニットを装着するための部材である。図示された例では、レンズマウント部１３はＰＬマウントというレンズマウント方式のレンズマウント部であるが、これには限られずいかなる方式のレンズマウント部であってもよい。
【００２４】
基材１５は、ＯＨＢ（Optical  Head  Block）ベースとも呼ばれ、筐体１１に固定されて押さえ部材１７および固定フィルタ枠１９を支持する部材である。図示された例では、固定フィルタ枠１９が前方から後方に向かって狭まる基材１５の開口部に嵌合され、その前方から押さえ部材１７が基材１５に螺合されることで、押さえ部材１７および固定フィルタ枠１９が基材１５に固定される。
【００２５】
押さえ部材１７は、上述のように基材１５に螺合されて固定フィルタ枠１９を固定するための環状の部材である。押さえ部材１７の外周面には、基材１５の内周面と対応した形状のねじ部が設けられている。一方、押さえ部材１７の内周面には、切り欠き部１７ａが形成される。図示された例では、周方向に等間隔で６つの切り欠き部１７ａが形成されている。この切り欠き部１７ａの機能については、後述する。切り欠き部１７ａ以外の部分では、押さえ部材１７の内径は固定フィルタ枠１９の最前部の内径よりも小さい。
【００２６】
固定フィルタ枠１９は、光軸Ｐの方向に開口した短円筒状の部材である。固定フィルタ枠１９は、上述のように基材１５の開口部に嵌合され、前方から押さえ部材１７によって押さえられることによって固定される。固定フィルタ枠１９の最前部の内径は、押さえ部材１７の切り欠き部１７ａ以外の部分よりも大きい。そこから後方に向かって固定フィルタ枠１９の内径は縮小するが、図示されているように最前部のすぐ後方には内径が縮小する段差が設けられ、これによって押さえ部材１７との間に凹条部１９ａが形成される。この凹条部１９ａは、底面が固定フィルタ枠１９の最前部の内周面によって、後方の側面が固定フィルタ枠１９の段差の面によって、前方の側面が押さえ部材１７の後端の面によって、それぞれ形成される。なお、上記の段差以外にも、固定フィルタ枠１９の内径が縮小する部分には段差が設けられてもよい。これらの段差は、レンズフレア防止などのための遮光線として機能しうる。固定フィルタ枠１９の最後部には、バンドパスフィルタ２１が固定されている。
【００２７】
バンドパスフィルタ２１は、レンズを通して入射する光から、紫外線や赤外線などの不要な波長の光を除去するフィルタである。また、ローパスフィルタ２３は、バンドパスフィルタ２１を通過した光から、特定の高周波数帯域の光を除去し、撮像画像におけるモアレの発生を抑制する。バンドパスフィルタ２１は、上述のように固定フィルタ枠によって固定されている。また、ローパスフィルタ２３も、図示しない固定部材によって筐体１１に固定されている。つまり、バンドパスフィルタ２１およびローパスフィルタ２３は、撮像素子２５の被写体側に固設される光学フィルタである。
【００２８】
なお、これらの光学フィルタの構成および配置は、図示されたバンドパスフィルタ２１とローパスフィルタ２３との例には限られず、任意の構成および配置とすることが可能である。例えば、バンドパスフィルタ２１の位置にローパスフィルタが設置されてもよい。光学フィルタは、単一でもよく、上記の例のように複数でもよい。また、光学フィルタには、バンドパスフィルタやローパスフィルタのようなフィルタのほか、防塵のための透明ガラスなどが含まれてもよい。
【００２９】
撮像素子２５は、入射された被写体像を光電変換して、撮像画像を表す画像信号を出力する。撮像素子２５は、図示しない固定部材によって筐体１１に固定されている。
【００３０】
以上、撮像装置１０のレンズマウント部１３と撮像素子２５との間の構成について概略的に説明した。なお、バンドパスフィルタ２１よりも後方に位置する固定された光学フィルタ群の配置および構成、および撮像素子２５の周辺の構成については、公知の撮像装置に用いられうる種々の構成をとることが可能であるため、上記の概略的な説明をもって詳細な説明に代える。
【００３１】
（２．フィルタ保持部材の概要）
次に、図４および図５を参照して、本開示の一実施形態に係るフィルタ保持部材の概略的な構成について説明する。
【００３２】
（フィルタ保持部材の構成）
図４は、本開示の一実施形態に係るフィルタ保持部材の構成を示す図である。図４に示すように、本開示の一実施形態に係るフィルタ保持部材４０は、フィルタ４１を保持する短円筒状の部材である。
【００３３】
フィルタ保持部材４０は、フィルタ４１を保持するフィルタ保持部４３と、後述するように撮像装置１０に係合される係合部４５とを含む。フィルタ保持部４３および係合部４５は、例えば樹脂などによって形成されうる。フィルタ４１は、フィルタ保持部材４０によって撮像装置１０に取り付けられる交換用のフィルタとして用いられるものであり、ＮＤフィルタ、ＣＣフィルタ、またはクロスフィルタなどの各種のフィルタでありうる。フィルタ４１は、例えばプラスチック製またはガラス製であり、フィルタ保持部４３への嵌合、またはフィルタ保持部４３と係合部４５との間への挟み込みなどによって固定される。図示された例において、フィルタ保持部４３および係合部４５はいずれも環状、または短円筒状であるため、フィルタ４１はほぼ円形である。
【００３４】
係合部４５は、フィルタ保持部４３に結合される短円筒状の部材である。フィルタ保持部４３と係合部４５との間の結合は、例えば互いに掛合部を設けた掛合構造によるものでありうる。上述のように、フィルタ保持部４３と係合部４５との間にフィルタ４１が挟みこまれ、これによってフィルタ４１が固定されてもよい。
【００３５】
ここで、係合部４５の外周面には、撮像装置１０の押さえ部材１７の内周に形成される切り欠き部１７ａに対応した形状の凸部４５ａが形成される。上述のように、切り欠き部１７ａは押さえ部材１７の周方向に等間隔に６つ形成されるため、凸部４５ａも、係合部４５の周方向に等間隔に６つ形成される。
【００３６】
また、係合部４５の周面には、後述する治具との結合のための切り欠き部４５ｂおよび開口部４５ｃが形成される。図示された例では、切り欠き部４５ｂおよび開口部４５ｃは、係合部４５の周方向に等間隔でそれぞれ３つずつ形成される。
【００３７】
（フィルタ保持部材と治具との結合）
図５は、本開示の一実施形態に係るフィルタ保持部材と治具との結合を示す図である。図５に示すように、フィルタ保持部材４０は、撮像装置１０への取り付けにあたり、治具５０に結合されうる。
【００３８】
治具５０は、円盤部５１および持ち手５２を有する。円盤部５１および持ち手５２は、例えば樹脂などによって形成されうる。円盤部５１は、その外径がフィルタ保持部材４０の係合部４５の内径に対応する。また、円盤部５１の外周には、係合部４５の周面に形成される切り欠き部４５ｂに対応する円筒凸部５１ａと、係合部４５の周面に形成される開口部４５ｃに対応する可動球５１ｂとが設けられる。
【００３９】
円筒凸部５１ａは、例えば金属で形成される。円筒凸部５１ａは、切り欠き部４５ｂに対応して円盤部５１の周方向に等間隔に３つ形成される。図の（ａ）〜（ｃ）に示されるように、治具５０の円盤部５１がフィルタ保持部材４０の係合部４５に挿入されると、円筒凸部５１ａは切り欠き部４５ｂに嵌合される。これによって、挿入後の（ｃ）の状態では、フィルタ４１に垂直な軸回りの回転運動については、円筒凸部５１ａが係合部４５を拘束する。つまり、（ｃ）の状態で持ち手５２を軸として治具５０を回転させた場合、フィルタ保持部材４０は治具５０に従って回転する。
【００４０】
可動球５１ｂも、例えば金属で形成される。可動球５１ｂは、開口部４５ｃに対応して円盤部５１の周方向に等間隔に３つ形成される。可動球５１ｂは、円盤部５１の外周面に形成されるより小さい径の開口部から突出し、ばね等の弾性材によって円盤部５１の中心から外側に向かう方向に付勢されている。図の（ａ）〜（ｃ）に示されるように、治具５０の円盤部５１がフィルタ保持部材４０の係合部４５に挿入されると、可動球５１ｂは係合部４５の周面によって一旦円盤部５１の内部に押し込まれた後再び突出し、開口部４５ｃに嵌入される。これによって、挿入後の（ｃ）の状態では、フィルタ保持部材４０に別途の外力が加えられない限り、フィルタ保持部材４０と治具５０との結合が維持される。
【００４１】
（３．フィルタ取り付け方法の詳細）
続いて、図６〜図９を参照して、本開示の一実施形態におけるフィルタ取り付け方法の詳細について説明する。
【００４２】
（挿入段階）
図６は、本開示の一実施形態における撮像装置へのフィルタの取り付けの挿入段階について説明するための図である。図６では、治具５０に結合されたフィルタ保持部材４０が、撮像装置１０のレンズマウント部１３側から光軸Ｐの方向に挿入される様子が（ａ）および（ｂ）として示されている。
【００４３】
このとき、フィルタ保持部材４０は、（ａ）に示すように、フィルタ４１が撮像装置１０の撮像素子２５に対向した状態で挿入される。挿入の向きを前向きとすると、フィルタ保持部材４０は、フィルタ保持部４３の側を前にして、後ろの係合部４５に結合された治具５０によって推進される。後述するように、フィルタ保持部材４０はレンズマウント部１３とバンドパスフィルタ２１との間の、レンズマウント部１３側から見ると円筒状に凹んだ部分に挿入されるが、上記のように治具５０によって推進して挿入することによって、挿入のための操作が容易になる。
【００４４】
そして、（ｂ）に示すように、挿入されるフィルタ保持部材４０は、レンズマウント部１３、基材１５、押さえ部材１７によってそれぞれ形成される環状または円筒状の部分の内部を通過し、固定フィルタ枠１９、より詳しくは固定フィルタ枠１９のうち凹条部１９ａの撮像素子２５側の側面を形成する面に当接する。
【００４５】
ここで、レンズマウント部１３および基材１５によってそれぞれ形成される環状または円筒状の部分の内径は、フィルタ保持部材４０の係合部４５の凸部４５ａが形成される部分の外径よりも大きい。従って、フィルタ保持部材４０は、凸部４５ａの位置に関わらず、これらの部材によってそれぞれ形成される環状または円筒状の部分を通過する。
【００４６】
一方、押さえ部材１７には、上述のように切り欠き部１７ａが形成されている。この切り欠き部１７ａと凸部４５ａとの位置が符合している場合に、フィルタ保持部材４０が押さえ部材１７の環状の内側を通過することが可能になる。これについては、続く回転段階の説明で詳述する。
【００４７】
（回転段階）
図７は、本開示の一実施形態における撮像装置へのフィルタの取り付けの回転段階について説明するための図である。図７では、フィルタ保持部材４０が、押さえ部材１７の環状の内側を通過して挿入された後、光軸Ｐの回りに回転する様子が（ａ）および（ｂ）として示されている。
【００４８】
まず、（ａ）に示すように、フィルタ保持部材４０が押さえ部材１７の環状の内側を通過して挿入されるとき、押さえ部材１７の内周面に形成された切り欠き部１７ａと、フィルタ保持部材４０の係合部４５の外周面に形成された凸部４５ａとは、互いに位置が符合している。つまり、凸部４５ａは、切り欠き部１７ａによってその奥の凹条部１９ａに案内される。
【００４９】
これを可能にするために、切り欠き部１７ａと凸部４５ａとは、対応する位置に対応する形状で形成されている。図示された例において、切り欠き部１７ａと凸部４５ａとは、いずれも周方向に等間隔に６つ形成されている。また、それぞれの切り欠き部１７ａと凸部４５ａとは、径方向の寸法（切り欠き部１７ａの深さと凸部４５ａの高さ）、および周方向の寸法（切り欠き部１７ａおよび凸部４５ａの幅）が対応している。
【００５０】
ここで、切り欠き部１７ａと凸部４５ａとの配置は、互いに対応していれば、必ずしも等間隔でなくてもよい。また、数も６つでなくてもよい。さらに、切り欠き部１７ａと凸部４５ａとの形状も、互いに対応していれば、同じ形状でなくてもよい。
【００５１】
ただし、図示された例のように、切り欠き部１７ａおよび凸部４５ａが複数配置されている場合、押さえ部材１７の内側を通してフィルタ保持部材４０を挿入可能な角度（光軸Ｐ回りの回転角度）が複数あるため、ユーザがこの角度を気にせずにフィルタ保持部材４０を挿入しても、少しの調整でフィルタ保持部材４０の挿入を完了することが可能である。
【００５２】
より具体的には、ユーザは、挿入時にフィルタ保持部材４０の凸部４５ａが切り欠き部１７ａの位置に合わずに押さえ部材１７を通過しない場合、治具５０を用いてフィルタ保持部材４０を光軸Ｐの回りに回転させればよい。切り欠き部１７ａおよび凸部４５ａがそれぞれ等間隔に６つ形成されている場合、最大でも６０°の回転によって切り欠き部１７ａと凸部４５ａとの位置を符合させることが可能である。
【００５３】
なお、上述のように、治具５０の円筒凸部５１ａとフィルタ保持部材４０の切り欠き部４５ｂとは嵌合しているため、持ち手５２を軸にして治具５０を回転させれば、フィルタ保持部材４０を光軸Ｐの回りに回転させることは容易である。
【００５４】
次に、フィルタ保持部材４０が押さえ部材１７の環状の内側を通過して固定フィルタ枠１９に当接した後、（ｂ）に示すように、フィルタ保持部材４０を光軸Ｐの回りに回転させると、凸部４５ａの位置が切り欠き部１７ａの位置と食い違った状態になる。つまり、凸部４５ａが押さえ部材１７の切り欠き部１７ａ以外の部分と固定フィルタ枠１９とによって形成される凹条部１９ａ（図３を参照）に嵌合された状態になる。
【００５５】
上記の（ｂ）の状態で、フィルタ保持部材４０は撮像装置１０に固定される。フィルタ保持部材４０から治具５０を取り外すと、撮像装置１０へのフィルタ４１の取り付けのための一連の段階は終了する。
【００５６】
なお、上述のように、フィルタ保持部材４０と治具５０とは、治具５０の可動球５１ｂがフィルタ保持部材４０の開口部４５ｃに嵌入することによって結合されている。従って、フィルタ保持部材４０に別途の外力、つまり押さえ部材１７による拘束力が働いている（ｂ）の状態では、容易にフィルタ保持部材４０から治具５０を取り外すことが可能である。
【００５７】
ここで、撮像装置１０にフィルタ保持部材４０を取り付けるための付加的な構成として設けられうる、押さえ部材１７の制止部材１７ｂと、フィルタ保持部材４０の凸部４５ａの掛合部４５ｄについて説明する。
【００５８】
制止部材１７ｂは、押さえ部材１７の切り欠き部１７ａ以外の部分に設けられる。制止部材１７ｂは、押さえ部材１７の切り欠き部１７ａ以外の部分と固定フィルタ枠１９とによって形成される凹条部１９ａ（図３を参照）を横断するピン状の部材であり、例えば図７に示されているように２つの切り欠き部１７ａの側傍に点対称になるように配置されうる。
【００５９】
掛合部４５ｄは、制止部材１７ｂに対応した形状を有する、凸部４５ａの切り欠き部である。図示された例で、（ａ）の状態からフィルタ保持部材４０を時計回りに回した場合、フィルタ保持部材４０は（ｂ）の状態になるまで回転する。このとき、制止部材１７ｂが掛合部４５ｄによって形成される突起部分を乗り越して掛合部４５ｄに掛合される。
【００６０】
これによって、フィルタ保持部材４０の時計回りの回転が規制される。従って、フィルタ保持部材４０が回転しすぎて、再び凸部４５ａと切り欠き部１７ａとの位置が符合してしまい、凹条部１９ａへのフィルタ保持部材４０の嵌合状態が解除されることが防止される。また、フィルタ保持部材４０を回転させるユーザはクリック感を得られ、フィルタ保持部材４０が所定の係合状態になったことを認識することができる。
【００６１】
なお、かかる構成とするためには、掛合部４５ｄを含むフィルタ保持部材４０の係合部４５が、樹脂などの弾性変形可能な材料で形成されることが望ましい。
【００６２】
一方、図示された例で、取り付けたフィルタ保持部材４０を取り外す場合、（ｂ）の状態からフィルタ保持部材４０を反時計回りに回す。この場合、制止部材１７ｂと掛合部４５ｄとの掛合が解除され、フィルタ保持部材４０は（ａ）の状態になるまで回転する。ここで、図中の上下にある凸部４５ａが制止部材１７ｂに当接し、フィルタ保持部材４０の反時計回りの回転が規制される。従って、フィルタ保持部材４０が回転しすぎて、凸部４５ａと切り欠き部１７ａとの位置が符合した状態を過ぎてしまい、フィルタ保持部材４０が取り外せなくなることが防止される。
【００６３】
なお、制止部材１７ｂおよび掛合部４５ｄについては、上記の例以外にもさまざまな構成が可能である。例えば、制止部材１７ｂだけが設けられてもよい。この場合、フィルタ保持部材４０が回転しすぎることの防止が制止部材１７ｂの専らの目的になる。また、制止部材１７ｂは、図示されているように１箇所に２つではなく、１つ設けられ、フィルタ保持部材４０の時計回りの場合の回転の規制と反時計回りの場合の回転の規制との両方の機能を兼ねてもよい。制止部材１７ｂの形状は、ピン状には限られず、上記の機能を実現しうるものであればどのような形状でもよい。制止部材１７ｂは、必ずしも凹条部１９ａを完全に横断しなくてもよく、例えば押さえ部材１７から凹条部１９ａに張り出した突出部分であってもよい。
【００６４】
（フィルタが取り付けられた状態）
図８は、本開示の一実施形態に係る撮像装置にフィルタ保持部材が取り付けられた場合のレンズマウント部付近の構成を示す図である。図９は、図８に示す撮像装置にフィルタ保持部材が取り付けられた場合のレンズマウント部付近のＩＩ−ＩＩ線断面図である。図８および図９に示す撮像装置１０の構成は、上記で図２および図３を参照して説明した構成と同じである。以下の説明では、撮像装置１０に取り付けられたフィルタ保持部材４０と、撮像装置１０の各部材との関係について主に説明する。
【００６５】
なお、以下の説明でも、レンズマウント部１３側、つまり被写体側を前方、撮像素子２５側を後方として説明する。
【００６６】
上述のように、フィルタ保持部材４０は、係合部４５に形成された凸部４５ａが、押さえ部材１７および固定フィルタ枠１９によって形成される凹条部１９ａに嵌合されることによって、撮像装置１０に固定される。この状態におけるフィルタ保持部材４０の前後方向のがたつきを防止するために、凸部４５ａの厚さが凹条部１９ａの幅に近い値になるように形成することが望ましい。また、フィルタ保持部材４０の上下左右方向のがたつきを防止するために、凸部４５ａを含めた係合部４５の外径が固定フィルタ枠１９の最前部の内径すなわち凹条部１９ａの底面の径に近い値になるように形成することが望ましい。または、係合部４５の凸部４５ａ以外の部分の外径が凹条部１９ａの後方の固定フィルタ枠１９の内径もしくは押さえ部材１７の切り欠き部１７ａ以外の部分の内径に近い値になるように形成することが望ましい。
【００６７】
このとき、フィルタ保持部材４０の係合部４５およびフィルタ保持部４３は、図示されているように押さえ部材１７および固定フィルタ枠１９の内周面に沿う形になる。フィルタ保持部４３によって保持されるフィルタ４１は、バンドパスフィルタ２１のすぐ前方に位置する。つまり、撮像装置１０に取り付けられたフィルタ保持部材４０の内周面は、押さえ部材１７および固定フィルタ枠１９によって形成される円筒面の内側をカバーする面を形成する。従って、図示されているように、フィルタ保持部材４０の係合部４５の内周面にも、固定フィルタ枠１９と同様に、レンズフレア防止などのための遮光線として機能しうる段差が設けられてもよい。
【００６８】
以上のように撮像装置１０にフィルタ保持部材４０が取り付けられた状態でのフィルタ４１の前方の空間には、レンズマウント部１３に取り付けられるレンズユニットの最後方にあるレンズ、いわゆる後玉が、レンズマウント部１３よりも後方に張り出して入ってくる場合がある。図示された例のように、フィルタ４１をバンドパスフィルタ２１のすぐ前方に取り付ければ、フィルタ取り付け部材４０の取り付けによって上記の後玉のための空間が制約されるということが起こりにくい。つまり、本実施形態では、レンズマウント部１３に取り付け可能なレンズユニットの種類の制約を最小化しつつ、交換用のフィルタ４１を取り付けることが可能である。
【００６９】
（４．補足）
（実施形態のまとめ）
以上で説明した本開示の一実施形態についてまとめる。
【００７０】
本開示の一実施形態において、撮像装置は、撮像素子と、撮像素子の被写体側に固設される第１の光学フィルタとレンズマウント部との間に設けられる環状または筒状の部材であり、第２の光学フィルタを保持するフィルタ保持部材の外周に形成される第１の凹凸部に対応する形状を有し該フィルタ保持部材を着脱可能に係合する第２の凹凸部が内周方向に形成される係合部材と、を有する。
【００７１】
かかる構成によれば、撮像装置において、撮像素子とレンズマウント部との間の、固定して設置される第１の光学フィルタ（例えば、バンドパスフィルタやローパスフィルタなど）よりも前の領域に、交換式のフィルタである第２の光学フィルタ（例えば、ＮＤフィルタやＣＣフィルタ、クロスフィルタなど）を着脱可能に設置することができる。ここで、第１の光学フィルタとレンズマウント部との間にある環状または筒状の部材、例えば固定フィルタ枠や押さえ部材が係合部材として用いられ、その内周に第２の光学フィルタを設置するための凹凸部が形成される。内周に形成される凹凸、つまり光軸まわりの周方向の凹凸によってフィルタ保持部材を着脱することで、フィルタ保持部材の形状を環状または円筒状とすることができる。これによって、例えば、そこに保持される第２の光学フィルタの形状を円形に近い形状にすることができ、第２の光学フィルタの加工が容易になる。
【００７２】
上記の撮像装置において、係合部材は、第２の凹凸部として、第１の凹凸部である凸部が嵌合する凹条部を有してもよい。
【００７３】
かかる構成によれば、簡単な構造でフィルタ保持部材を係合することができる。凹凸部の構成としては、この他にねじ等を用いることも可能であるが、上記の構成は、ねじのように取り付け時に何度も回転させなくてよく、また回転のさせすぎでねじが切れる等の心配もない点で利点を有する。なお、上記の構成では係合部材側を凹、フィルタ保持部材側を凸としているが、この凹凸の関係は逆であってもよい。
【００７４】
上記の撮像装置において、係合部材は、凹条部のレンズマウント部側の側面に形成されて凸部を凹条部に案内する切り欠き部を有してもよい。
【００７５】
かかる構成によれば、レンズマウント部側から挿入されたフィルタ保持部材を、円滑に凹条部まで案内することができる。また、凸部が切り欠き部を通過した後でフィルタ保持部材を回転させ、凸部を凹条部に嵌合させて固定することによって、フィルタ保持部材を確実に固定させることができる。
【００７６】
上記の撮像装置において、係合部材は、凹条部の内部に設けられて凸部の光軸回りの回転を規制する制止部を有してもよい。
【００７７】
かかる構成によれば、フィルタ保持部材の取り付け時に、凸部が切り欠き部を通過する位置から回転を開始したフィルタ保持部材が、回転しすぎて再び凸部が切り欠き部を通過する位置に至ってしまうことを防ぐことができる。また、フィルタ保持部材の取り外し時に、凸部が切り欠き部を通過する位置まで回転したフィルタが、回転しすぎてその位置を過ぎてしまうことを防ぐことができる。
【００７８】
上記の撮像装置において、切り欠き部は、複数形成されてもよい。
【００７９】
かかる構成によれば、フィルタ保持部材の凸部が切り欠き部を通過可能である角度（光軸回りの回転角度）を複数設定することができる。つまり、ユーザがフィルタ保持部材を取り付ける場合の回転角度の調整が少なくて済む。
【００８０】
上記の撮像装置において、係合部材は、凹条部の底面および撮像素子側の側面を形成する第１の係合部材と、凹条部のレンズマウント部側の側面を形成する第２の係合部材とを含んでもよい。
【００８１】
かかる構成によれば、係合部材となりうる部材が複数ある場合に、それぞれの部材で分担して凹条部を構成することによって、例えば既に用いられている部材を活用して係合部材を構成することができる。例えば、上記で一実施形態として説明された撮像装置の例では、既存の固定フィルタ枠（第１の係合部材）の形状に合わせて押さえ部材（第２の係合部材）の形状を変更することで、凹条部が形成された係合部材とすることも可能である。
【００８２】
上記の撮像装置において、係合部材は、凹条部の底面および両側面を形成する第１の係合部材を含んでもよい。
【００８３】
かかる構成によれば、係合部材が単一の部材から構成される。例えば、撮像装置の構成として、上記の例の固定フィルタ枠に相当する部材が単独で基材に固定されて押さえ部材が設けられないような場合であっても、この固定フィルタ枠に相当する部材に凹条部などの凹凸部を形成すれば、同様のフィルタ取り付け構造を実現することが可能である。この場合、凹条部の底面および両側面は、この単一の係合部材によって形成される。
【００８４】
また、本開示の一実施形態において、フィルタ保持部材は、光学フィルタを保持するフィルタ保持部と、フィルタ保持部に結合され、外周に形成される第１の凹凸部が撮像装置の撮像素子の被写体側に固設される第１の光学フィルタとレンズマウント部との間に設けられる環状または筒状の係合部材の内周方向に形成された第２の凹凸部に対応する形状を有し、該第２の凹凸部に着脱可能に係合される係合部と、を有する。
【００８５】
かかる構成によれば、フィルタ保持部材の外周に形成される第１の凹凸部によって該部材を撮像装置に係合させることができる。つまり、環状または円筒状のフィルタ保持部材は、内周側に突出するような係合のための構造を有さなくてもよい。従って、例えばフィルタ保持部材に保持される光学フィルタの形状を円形に近い形状にすることができ、光学フィルタの加工が容易になる。
【００８６】
上記のフィルタ保持部材において、係合部は、第１の凹凸部として、第２の凹凸部である凹条部に嵌合する凸部を有してもよい。
【００８７】
かかる構成によれば、簡単な構造でフィルタ保持部材を撮像装置に係合することができる。凹凸部の構成としては、この他にねじ等を用いることも可能であるが、上記の構成は、ねじのように取り付け時に何度も回転させなくてよく、また回転のさせすぎでねじが切れる等の心配もない点で利点を有する。なお、上記の構成では係合部材側を凹、フィルタ保持部材側を凸としているが、この凹凸の関係は逆であってもよい。
【００８８】
上記のフィルタ保持部材において、凸部は、凹条部のレンズマウント部側の側面に形成された切り欠き部によって凹条部に案内されてもよい。
【００８９】
かかる構成によれば、撮像装置のレンズマウント部側から挿入されたフィルタ保持部材を、円滑に凹条部まで案内することができる。また、凸部が切り欠き部を通過した後でフィルタ保持部材を回転させ、凸部を凹条部に嵌合させて固定することによって、フィルタ保持部材を撮像装置に確実に固定させることができる。
【００９０】
上記のフィルタ保持部材において、凸部は、凹条部の内部に設けられて凸部の光軸回りの回転を規制する制止部に掛合する掛合部を有してもよい。
【００９１】
かかる構成によれば、フィルタ保持部材が所定の位置まで回転したときに、掛合部が撮像装置側の制止部に掛合することで、例えばフィルタ保持部材を回転させているユーザがクリック感を得ることができる。これによって、ユーザはフィルタ保持部材が所定の係合状態になったことを認識することができる。
【００９２】
上記のフィルタ保持部材において、凸部は、複数形成されてもよい。
【００９３】
かかる構成によれば、フィルタ保持部材の凸部が切り欠き部を通過可能である角度（光軸回りの回転角度）を複数設定することができる。つまり、ユーザがフィルタ保持部材を取り付ける場合の回転角度の調整が少なくて済む。
【００９４】
さらに、本開示の一実施形態では、撮像装置の撮像素子の被写体側に固設される第１の光学フィルタとレンズマウント部との間に固設される第１の光学フィルタとレンズマウント部との間に、第２の光学フィルタを保持するフィルタ保持部材を第２の光学フィルタが撮像素子に対向した状態でレンズマウント部側から光軸方向に挿入し、第１の光学フィルタとレンズマウント部との間に設けられる環状または筒状の係合部材の内周方向に形成される第１の凹凸部にフィルタ保持部材の外周に設けられる第２の凹凸部を着脱可能に係合させる撮像装置のフィルタ取付方法が実施される。
【００９５】
かかる手順によれば、フィルタ保持部材を所定の向きで撮像装置の外部からレンズマウント部の奥に挿入して取り付けることができる。この取付を容易にするために、フィルタ保持部材の形状に対応した形状の治具が提供されてもよい。
【００９６】
（付言）
以上、添付図面を参照しながら本開示の好適な実施形態について詳細に説明したが、本開示の技術的範囲はかかる例に限定されない。本開示の技術分野における通常の知識を有する者であれば、特許請求の範囲に記載された技術的思想の範疇内において、各種の変更例または修正例に想到し得ることは明らかであり、これらについても、当然に本開示の技術的範囲に属するものと了解される。
【００９７】
なお、以下のような構成も本開示の技術的範囲に属する。
（１）撮像素子と、
前記撮像素子の被写体側に固設される第１の光学フィルタとレンズマウント部との間に設けられる環状または筒状の部材であり、第２の光学フィルタを保持するフィルタ保持部材の外周に形成される第１の凹凸部に対応する形状を有し該フィルタ保持部材を着脱可能に係合する第２の凹凸部が内周方向に形成される係合部材と、
を備える撮像装置。
（２）前記係合部材は、前記第２の凹凸部として、前記第１の凹凸部である凸部が嵌合する凹条部を有する、前記（１）に記載の撮像装置。
（３）前記係合部材は、前記凹条部の前記レンズマウント部側の側面に形成されて前記凸部を前記凹条部に案内する切り欠き部を有する、前記（２）に記載の撮像装置。
（４）前記係合部材は、前記凹条部の内部に設けられて前記凸部の光軸回りの回転を規制する制止部を有する、前記（３）に記載の撮像装置。
（５）前記切り欠き部は、複数形成される、前記（３）または（４）に記載の撮像装置。
（６）前記係合部材は、前記凹条部の底面および前記撮像素子側の側面を形成する第１の係合部材と、前記凹条部の前記レンズマウント部側の側面を形成する第２の係合部材とを含む、前記（２）〜（５）のいずれか１項に記載の撮像装置。
（７）前記係合部材は、前記凹条部の底面および両側面を形成する第１の係合部材を含む、前記（２）〜（５）のいずれか１項に記載の撮像装置。
（８）光学フィルタを保持するフィルタ保持部と、
前記フィルタ保持部に結合され、外周に形成される第１の凹凸部が撮像装置の撮像素子の被写体側に固設される第１の光学フィルタとレンズマウント部との間に設けられる環状または筒状の係合部材の内周方向に形成された第２の凹凸部に対応する形状を有し、該第２の凹凸部に着脱可能に係合される係合部と、
を備えるフィルタ保持部材。
（９）前記係合部は、前記第１の凹凸部として、前記第２の凹凸部である凹条部に嵌合する凸部を有する、前記（８）に記載のフィルタ保持部材。
（１０）前記凸部は、前記凹条部の前記レンズマウント部側の側面に形成された切り欠き部によって前記凹条部に案内される、前記（９）に記載のフィルタ保持部材。
（１１）前記凸部は、前記凹条部の内部に設けられて前記凸部の光軸回りの回転を規制する制止部に掛合する掛合部を有する、前記（１０）に記載のフィルタ保持部材。
（１２）前記凸部は、複数形成される、前記（１０）または（１１）に記載のフィルタ保持部材。
（１３）撮像装置の撮像素子の被写体側に固設される第１の光学フィルタとレンズマウント部との間に、第２の光学フィルタを保持するフィルタ保持部材を前記第２の光学フィルタが前記撮像素子に対向した状態で前記レンズマウント部側から光軸方向に挿入し、
前記第１の光学フィルタと前記レンズマウント部との間に設けられる環状または筒状の係合部材の内周方向に形成される第１の凹凸部に前記フィルタ保持部材の外周に設けられる第２の凹凸部を着脱可能に係合させる
撮像装置のフィルタ取付方法。
【符号の説明】
【００９８】
１０    撮像装置
１１    筐体
１３    レンズマウント部
１５    基材
１７    押さえ部材
１７ａ    切り欠き部
１９    固定フィルタ枠
１９ａ    凹条部
２１    バンドパスフィルタ
２３    ローパスフィルタ
２５    撮像素子
４０    フィルタ保持部材
４１    フィルタ
４３    フィルタ保持部
４５    係合部
４５ａ    凸部
５０    治具
Ｐ    光軸
【図１】
2013029586.tif 000003
【図２】
2013029586.tif 000004
【図３】
2013029586.tif 000005
【図４】
2013029586.tif 000006
【図５】
2013029586.tif 000007
【図６】
2013029586.tif 000008
【図７】
2013029586.tif 000009
【図８】
2013029586.tif 000010
【図９】
2013029586.tif 000011